(57)【特許請求の範囲】
【請求項１】
コネクタ長手方向に延在する絶縁ハウジングの内部に挿入された信号伝送媒体に係合して当該信号伝送媒体を挿入状態に保持する係止ロック部を有するロック部材が設けられたものであって、
前記係止ロック部が、前記信号伝送媒体に接触して弾性変位した後に弾性復帰することで前記信号伝送媒体に係合する構成になされた電気コネクタにおいて、
前記ロック部材が、薄肉板状の金属部材からなる一体折曲げ構造体から形成されたものであって、当該ロック部材は、前記絶縁ハウジングに固定された固定基板と、その固定基板の一端縁部分から一体的に延出する基板接続部と、前記信号伝送媒体を前記係止ロック部に向かって押圧する片持ち状の弾性可撓性部材からなる媒体押圧片と、を有し、
前記媒体押圧片を構成している弾性可撓性部材が、前記コネクタ長手方向に板幅を有してアーム状に延出しているとともに、
前記媒体押圧片の一部であって前記信号伝送媒体を押圧する部位が、前記信号伝送媒体の厚さ方向において前記係止ロック部と対向するように配置され、かつ、
前記媒体押圧片は、前記固定基板の一端縁部分に設けられた前記基板接続部に対して前記コネクタ長手方向に隣接した位置から略直角上方に立ち上がる構成になされていることを特徴とする電気コネクタ。
【請求項２】
前記絶縁ハウジングには、当該絶縁ハウジングの内部に挿入された前記信号伝送媒体を支持する媒体載置面が形成され、
その絶縁ハウジングの媒体載置面に対して前記係止ロック部が突没するように移動する構成になされたものであって、
前記媒体押圧片は、前記絶縁ハウジングの媒体載置面に対して前記信号伝送媒体の厚さ方向に対向するように配置されていることを特徴とする請求項１記載の電気コネクタ。
【請求項３】
前記媒体押圧片が前記信号伝送媒体を押圧する部位は、前記信号伝送媒体の挿入方向において前記係止ロック部より奥側の領域で、前記絶縁ハウジングの媒体載置面と対向するように配置されていることを特徴とする請求項１記載の電気コネクタ。
【発明の詳細な説明】
【技術分野】
【０００１】
本発明は、絶縁ハウジングの内部に挿入された信号伝送媒体を保持するロック機構を備えた電気コネクタに関する。
【背景技術】
【０００２】
一般に、種々の電気機器等において、フレキシブル・プリンテッド・サーキット（ＦＰＣ）や、フレキシブル・フラット・ケーブル（ＦＦＣ）等の各種信号伝送媒体を電気的に接続するための手段として種々の電気コネクタが広く用いられている。例えば、下記の特許文献１のように印刷配線基板上に実装されて使用される電気コネクタでは、ＦＰＣやＦＦＣ等からなる信号伝送媒体が、絶縁ハウジング（インシュレータ）の前端側開口部から内部に挿入され、その後にアクチュエータ（接続操作手段）が、作業者の操作力でコネクタ前方側又は後方側の接続作用位置に向かって押し倒されるように回動される。これによって、信号伝送媒体の端末部分に設けられた係合部にロック部材の一部が嵌り込んで係合状態になされ、信号伝送媒体の端末部分がロック部材により略不動状態に保持される構成になされている。
【０００３】
このように、アクチュエータを備えた電気コネクタは、接続解除位置と接続作用位置との間でアクチュエータを回動操作することによってロック部材の係合・離脱を操作する構成になされているが、信号伝送媒体（ＦＰＣ，ＦＦＣ等）の挿入作業とは別個にアクチュエータを操作する必要があるために作業効率が問題となる場合がある。そのため、例えば、下記の特許文献２及び３のように、絶縁ハウジングの内部に挿入された信号伝送媒体に対してロック部材の一部が乗り上げるようにして弾性変位し、その後に信号伝送媒体の係合部にロック部材の一部が落ち込んで係合が行われるように構成された、いわゆるワンアクションオートロック機構を備えた電気コネクタが採用されることがある。このようなワンアクションオートロック機構を備えた電気コネクタを用いれば、電気コネクタの内部の所定位置まで信号伝送媒体を挿入するだけで、信号伝送媒体が略不動状態に保持されることとなり、作業効率の向上が図られる。
【０００４】
しかしながら、従来の電気コネクタに採用されているワンアクションオートロック機構では、上述したように信号伝送媒体（ＦＰＣ，ＦＦＣ等）を電気コネクタに挿入するだけでロックが行われて保持される利点があるものの、信号伝送媒体の厚さには種々のものがあり、それに応じてロック部材との係合量が変動するという問題がある。特に、信号伝送媒体の厚さが薄い場合にあっては、寸法公差内の厚さになっていても、信号伝送媒体と媒体挿入通路との間に空間が発生し、その空間内において信号伝送媒体がロック部材の係止ロック部と反対の方向に移動した際に、信号伝送媒体に対するロック部材の係合量が減少することから信号伝送媒体の保持力が十分に得られなくなるおそれがある。
【先行技術文献】
【特許文献】
【０００５】
【特許文献１】特開２００３−１００３７０号公報
【特許文献２】特開２００９−２３１０６９号公報
【特許文献３】特開２０１１−２０４５０９号公報
【発明の開示】
【発明が解決しようとする課題】
【０００６】
そこで本発明は、簡易な構成で、信号伝送媒体の厚さ変動にかかわらず信号伝送媒体を良好な保持状態に維持することができるようにした電気コネクタを提供することを目的とする。
【課題を解決するための手段】
【０００７】
上記目的を達成するため本発明では、コネクタ長手方向に延在する絶縁ハウジングの内部に挿入された信号伝送媒体に係合して当該信号伝送媒体を挿入状態に保持する係止ロック部を有するロック部材が設けられたものであって、前記係止ロック部が、前記信号伝送媒体に接触して弾性変位した後に弾性復帰することで前記信号伝送媒体に係合する構成になされた電気コネクタにおいて、前記ロック部材が、薄肉板状の金属部材からなる一体折曲げ構造体から形成されたものであって、当該ロック部材は、前記絶縁ハウジングに固定された固定基板と、その固定基板の一端縁部分から一体的に延出する基板接続部と、前記信号伝送媒体を前記係止ロック部に向かって押圧する片持ち状の弾性可撓性部材からなる媒体押圧片と、を有し、前記媒体押圧片を構成している弾性可撓性部材が、前記コネクタ長手方向に板幅を有してアーム状に延出しているとともに、前記媒体押圧片の一部であって前記信号伝送媒体を押圧する部位が、前記信号伝送媒体の厚さ方向において前記係止ロック部と対向するように配置され、かつ前記媒体押圧片は、前記固定基板の一端縁部分に設けられた前記基板接続部に対して前記コネクタ長手方向に隣接した位置から略直角上方に立ち上がる構成が採用されている。
【０００８】
このような構成を有する本発明によれば、絶縁ハウジングの内部に挿入されて係止ロック部により保持された信号伝送媒体が、基板接続部と隣接した位置から一定の板幅をもって上方に立ち上がって係止ロック部に対向するように配置された媒体押圧片の弾性付勢力により係止ロック部側に向かって押圧され、それによって信号伝送媒体と係止ロック部との係合量が増大されることから、ロック部材による信号伝送媒体の保持が確実に行われる。
【０００９】
このとき、本発明における前記絶縁ハウジングには、当該絶縁ハウジングの内部に挿入された前記信号伝送媒体を支持する媒体載置面が形成され、その絶縁ハウジングの媒体載置面に対して前記係止ロック部が突没する構成になされたものであって、前記媒体押圧片は、前記絶縁ハウジングの媒体載置面に対して前記信号伝送媒体の厚さ方向に対向するように配置されていることが望ましい。
【００１０】
また、本発明において、前記媒体押圧片が前記信号伝送媒体を押圧する部位は、前記信号伝送媒体の挿入方向において前記係止ロック部より奥側の領域で、前記絶縁ハウジングの媒体載置面と対向するように配置されていることが望ましい。
【００１１】
このような構成を有する本発明によれば、媒体押圧片の押圧力によって信号伝送媒体が絶縁ハウジングの媒体載置面に当接されることとなり、それらの媒体押圧片と絶縁ハウジングの媒体載置面との間に信号伝送媒体が挟持されることで当該信号伝送媒体の保持が更に安定的に行われる。
【発明の効果】
【００１２】
以上述べたように本発明にかかる電気コネクタは、絶縁ハウジングの内部に挿入された信号伝送媒体に係合して当該信号伝送媒体を挿入状態に保持する係止ロック部を有するロック部材に、基板接続部と隣接した位置から上方に立ち上がって係止ロック部に向かって信号伝送媒体を押圧する一定幅を有する片持ち状の弾性可撓性部材からなる媒体押圧片を設け、その媒体押圧片の一部であって信号伝送媒体を押圧する部位を、信号伝送媒体の厚さ方向において係止ロック部と対向するように配置したことによって、絶縁ハウジングの内部に挿入されて係止ロック部により保持された信号伝送媒体が、係止ロック部に対向するように配置された媒体押圧片の弾性付勢力で係止ロック部側に向かって押圧され、信号伝送媒体と係止ロック部との係合量が増大されることでロック部材による信号伝送媒体の保持が確実に行われる構成としたものであるから、簡易な構成で、信号伝送媒体の厚さ変動にかかわらず信号伝送媒体を良好な保持状態に維持することができ、電気コネクタの信頼性を低廉かつ大幅に向上させることができる。
【図面の簡単な説明】
【００１３】
【図１】本発明の一実施形態にかかる電気コネクタに対して信号伝送媒体を挿入する前の状態を正面側上方から表した外観斜視説明図である。
【図２】図１に表された電気コネクタに対して信号伝送媒体を係合位置まで挿入した挿入完了状態を表した図１相当の外観斜視説明図である。
【図３】図１及び図２に表された電気コネクタの平面説明図である。
【図４】図１及び図２に表された電気コネクタの正面説明図である。
【図５】図１及び図２に表された電気コネクタの底面説明図である。
【図６】図１及び図２に表された電気コネクタの背面説明図である。
【図７】図１〜図６に表された電気コネクタに用いられているロック部材をコネクタ長手方向の外方側上方から示した外観斜視説明図である。
【図８】図７に表された電気コネクタに用いられているロック部材をコネクタ長手方向の内方側（コネクタ中心側）の上方から表した外観斜視説明図である。
【図９】図４中のIX−IX線に沿った縦断面説明図である。
【図１０】信号伝送媒体の挿入直前における図４中のX−X線に沿った縦断面説明図である。
【図１１】図１０の状態から信号伝送媒体を挿入していく途中状態を表した図１０相当の縦断面説明図である。
【図１２】図１１の状態から信号伝送媒体を係合位置まで挿入した挿入完了状態を表した図１０相当の縦断面説明図である。
【図１３】図１２の状態からロック解除操作を行った状態を表した図１０相当の縦断面説明図である。
【発明を実施するための形態】
【００１４】
以下において、フレキシブル・プリンテッド・サーキット（ＦＰＣ）やフレキシブル・フラット・ケーブル（ＦＦＣ）等からなる信号伝送媒体の接続を行うために配線基板上に実装して使用される電気コネクタに本発明を適用した実施の形態を図面に基づいて詳細に説明する。
【００１５】
［電気コネクタの全体構成について］
図１〜図１３に示されている本発明の一実施形態にかかる電気コネクタ１０は、いわゆるノン・ジフ（ＮＯＮ−ＺＩＦ）タイプのワンアクションオートロック機構を備えた電気コネクタからなるものであって、絶縁ハウジング１１の内部の所定位置まで、上述した信号伝送媒体（ＦＰＣ又はＦＦＣ等）Ｆの端末部分を挿入した際に、当該信号伝送媒体Ｆのロックが自動的に行われる構成になされている。
【００１６】
［絶縁ハウジングについて］
絶縁ハウジング１１は、細長平板状をなすように延在する中空状の絶縁部材から形成されているが、その絶縁ハウジング１１における長手の横幅方向を、以下において「コネクタ長手方向」と呼び、また信号伝送媒体（ＦＰＣ又はＦＦＣ等）Ｆの端末部分を挿入する方向において上手側を「コネクタ前方」、下手側を「コネクタ後方」と呼ぶこととする。さらに、それらの「コネクタ長手方向」と「コネクタ前後方向」との双方に直交する方向を「コネクタ上下方向」と呼ぶこととする。
【００１７】
その絶縁ハウジング１１の前端縁部分（図９の左端縁部分）には、上述したようにフレキシブル・プリンテッド・サーキット（ＦＰＣ）やフレキシブル・フラット・ケーブル（ＦＦＣ）等からなる信号伝送媒体Ｆの端末部分が挿入される媒体挿入口１１ａが、コネクタ長手方向に沿って細長状をなすように設けられている。その媒体挿入口１１ａからは、信号伝送媒体Ｆが挿入される中空状の媒体挿入通路が、絶縁ハウジング１１の内部をコネクタ後方側に向かって延びている。
【００１８】
この媒体挿入通路は、絶縁ハウジング１１の内壁面により囲まれるようにして画成されたものであるが、その媒体挿入通路の下面を形成している媒体載置面１１ｂ上を滑動するようにして、信号伝送媒体（ＦＰＣ又はＦＦＣ等）Ｆが、奥側（コネクタ後方側）に向かって挿入され、または手前側（コネクタ前方側）に抜去される構成になされている。
【００１９】
また、上述した媒体挿入口１１ａに対して反対側のコネクタ後方側端縁部分（図９の右端縁部分）には、後述する導電コンタクト１２等を装着するための部品取付口が、同じくコネクタ長手方向に沿って細長状をなすように設けられている。さらに、媒体挿入口１１ａに対してコネクタ長手方向の両側外方部分には、後述するロック機構及びロック解除機構を構成しているロック部材１３が、コネクタ後方側から前方側（図１０の左方側）に向かって圧入されている。
【００２０】
［導電コンタクトについて］
上述したようにして絶縁ハウジング１１の内部に圧入された導電コンタクト１２は、コネクタ長手方向において適宜の間隔をなして多極状に複数体配置されており、それらの各導電コンタクト１２同士が、互いに略同一の形状をなす薄板状金属製部材により形成されている。当該各導電コンタクト１２は、上述したように絶縁ハウジング１１の後端側に設けられた部品取付口から媒体挿入通路の内部にコネクタ前方側に向かって挿入されるようにして装着されており、それらの各導電コンタクト１２の挿入方向後端部分に設けられた固定基部１２ａが、絶縁ハウジング１１のコネクタ後端側の内壁部分に圧入されることによって固定されている。
【００２１】
これらの導電コンタクト１２の各々は、信号伝送用又はグランド接続用のいずれかとして、主印刷配線基板（図示省略）上に形成された導電路に対して半田接合により実装された状態で使用される。すなわち、上述したようにして絶縁ハウジング１１の内部に装着された各導電コンタクト１２の配置位置は、媒体挿入口１１ａを通して絶縁ハウジング１１内に挿入される信号伝送媒体（ＦＰＣ又はＦＦＣ等）Ｆに設けられた配線パターンに対応した設定になされており、それら信号伝送媒体Ｆの配線パターンは、信号伝送用導電路（信号線パッド）又はシールド用導電路（シールド線パッド）を適宜のピッチ間隔で配置したものとなっている。
【００２２】
各導電コンタクト１２の構成を具体的に説明すると、まず、上述したように絶縁ハウジング１１のコネクタ後端側壁面に対して圧入された固定基部１２ａの下端縁部分に、基板接続部１２ａ１が形成されており、その基板接続部１２ａ１が、主印刷配線基板（図示省略）上に形成された導電路に半田接続される。
【００２３】
さらに、上述した固定基部１２ａからコネクタ前方側（図９の左方側）に向かって、一対の可動ビーム１２ｂ，１２ｃが上下の二股状に分割されるようにして延出している。これらの両可動ビーム１２ｂ，１２ｃは、コネクタ後端側の固定基部１２ａから片持ち状をなして一体的に延出するように形成されており、当該両可動ビーム１２ｂ，１２ｃ同士が上下に離間した状態で、絶縁ハウジング１１の媒体挿入通路の壁面に形成された取付溝に沿うように延在している。このような構成をなす導電コンタクト１２の両可動ビーム１２ｂ，１２ｃの延出側（図９の左方側）部分は、当該両可動ビーム１２ｂ，１２ｃ同士の連結部分である固定基部１２ａとの連接部分又はその近傍を中心として、図９の紙面内において上下の方向に揺動する構成になされている。
【００２４】
さらに、これらの両可動ビーム１２ｂ，１２ｃにおけるコネクタ前方側への延出端部分（図９左端側部分）には、信号伝送媒体（ＦＰＣ又はＦＦＣ等）Ｆに形成された信号伝送用導電路又はシールド用導電路（配線パターン）のいずれかに対応して端子接触凸部１２ｂ１，１２ｃ１が、上下に対向するように各々下向き及び上向きの突形状をなすように設けられている。すなわち、これら両可動ビーム１２ｂ，１２ｃにそれぞれ設けられた端子接触凸部１２ｂ１，１２ｃ１は、上述したように信号伝送媒体Ｆが絶縁ハウジング１１の内部に挿入されて来た際に、当該信号伝送媒体Ｆの配線パターンの表面上に乗り上げて上下から挟持する配置関係になされており、その信号伝送媒体Ｆが所定の最終位置（係合位置）まで挿入されたときに、当該両可動ビーム１２ｂ，１２ｃの弾性力で圧接されることにより電気的に接続された状態に維持されるようになっている。
【００２５】
［ワンアクションオートロック機構について］
本実施形態にかかる電気コネクタ１０は、前述したようにワンアクションオートロック機構を備えたものであるが、その前提として信号伝送媒体（ＦＰＣ又はＦＦＣ等）Ｆの端末部分には、例えば図１に示されているように、当該信号伝送媒体Ｆの板幅方向（コネクタ長手方向）両側の端縁部分に、切り欠き状の凹部からなる係合位置決め部Ｆａがそれぞれ形成されている。そして、その信号伝送媒体Ｆに設けられた各係合位置決め部Ｆａに対応して電気コネクタ１０側には、ロック機構及びロック解除機構を構成するロック部材１３が、コネクタ長手方向の両側部分に取り付けられており、それらの各ロック部材１３に設けられた係止ロック部１３ａの係止作用（ロック作用）によって、信号伝送媒体Ｆの挿入状態が保持される構成になされている。
【００２６】
［ロック部材について］
上述したように絶縁ハウジング１１のコネクタ長手方向における両側部分に配置された一対のロック部材１３，１３同士は、コネクタ長手方向において互いに対称的な構造になされていることから、以下における説明は一方のロック部材１３についてのみ行い、他方については省略することとする。
【００２７】
ロック部材１３は、信号伝送媒体（ＦＰＣ又はＦＦＣ等）Ｆに対するロック機構及びロック解除機構を構成するものであるが、電気コネクタ１０の内部に信号伝送媒体Ｆが差し込まれた際に、当該ロック部材１３の一部、より具体的には後述の係止ロック部１３ａに対して信号伝送媒体Ｆの挿入側先端縁が当接し、それによって係止ロック部１３ａが、コネクタ下方側に退避する（図１１参照）。そのとき、係止ロック部１３ａを支持している後述の弾性ロックアーム部材１３ｅが、同じくコネクタ下方側に弾性変位し、その弾性ロックアーム部材１３ｅの弾性復元力によって係止ロック部１３ａがコネクタ上方側に移動して、信号伝送媒体Ｆの係合位置決め部Ｆａの内部に嵌め込まれることで係合状態（ロック状態）になされる。
【００２８】
ロック部材１３の構造を具体的に説明すると、特に図７及び図８に示されているように、当該ロック部材１３の全体は、薄肉板状の金属部材からなる一体折曲げ構造体から形成されているが、絶縁ハウジング１１の底面の一部をなすように配置された細長平板状の固定基板１３ｂを有している。この固定基板１３ｂは、コネクタ後方側において主印刷配線基板（図示省略）と対面するように配置されるものであるが、コネクタ長手方向の内端縁部分には、上方段差を介して略水平に延在する固定片部１３ｃが連設されており、その固定片部１３ｃが、絶縁ハウジング１１の内壁に圧入されることによって、当該ロック部材１３の全体の固定が行われている。
【００２９】
また、上述したように平板状をなす固定基板１３ｂの後端縁部分（図１０の右端縁部分）には、コネクタ後方側に向かって一体的に延出する基板接続部１３ｄが連設されている。この基板接続部１３ｄは、固定基板１３ｂの後端縁部（図１０の右端縁部）から下降段差を介して略水平に延出しており、主印刷配線基板（図示省略）に形成されたシールド用導電路（シールド線パッド）、または固定用半田領域上に載置された状態で半田接合される。
【００３０】
さらに、固定基板１３ｂは、コネクタ長手方向における外端縁部分が上方側に向かって略Ｕ字状をなすように折り返されている。当該固定基板１３ｂの上方折り返し部分は、コネクタ長手方向の外方側に向かう方向から反対側のコネクタ内方側（コネクタ中心側）に向かって反転するようにして略水平に延出しており、その水平延出端である内端部からは、帯板状部材からなる弾性ロックアーム部材１３ｅが、コネクタ前方側に向かって一体的に延出している。
【００３１】
その弾性ロックアーム部材１３ｅは、主印刷配線基板（図示省略）と略平行な水平状態で延在する片持ち状部材から形成されており、当該弾性ロックアーム部材１３ｅのコネクタ前方側の端部を構成している自由端部分に、係止ロック部１３ａ及びロック解除操作部１３ｆが設けられている。これらの係止ロック部１３ａ及びロック解除操作部１３ｆは、弾性ロックアーム部材１３ｅの板幅方向（コネクタ長手方向）における両側縁部分を、それぞれ略直角上方に折り曲げるようにして一体的に形成されており、板幅方向内側の端縁部に形成された係止ロック部１３ａと、板幅方向外側の端縁部に形成されたロック解除操作部１３ｆとが、コネクタ長手方向に互いに対面する位置関係になされている。
【００３２】
ここで、上述したように弾性ロックアーム部材１３ｅは、その板幅方向がコネクタ長手方向（水平方向）であり、かつ板厚方向が上下方向となるように設定されていることから、主として、薄肉状の板厚方向である上下方向に弾性変位する構成になされている。そして、この弾性ロックアーム部材１３ｅが上下方向に弾性変位するに伴って、上述した係止ロック部１３ａ及びロック解除操作部１３ｆが、図１０の紙面内で上下の方向に往復移動される構成になされている。
【００３３】
そのうちの係止ロック部１３ａは、弾性ロックアーム部材１３ｅにおける延出側の先端部分（図１０の左端縁部分）から側面略台形状をなして上方側に突出するフック状部材から形成されており、上述した信号伝送媒体（ＦＰＣ又はＦＦＣ等）Ｆが挿入される媒体挿入通路に対して下方側から突没する構成になされている。
【００３４】
そのときの媒体挿入通路は、前述したように絶縁ハウジング１１の内壁面で囲まれることで、媒体挿入口１１ａからコネクタ後方側に延びるように画成されたものであるが、その媒体挿入通路の下面である媒体載置面１１ｂを有している絶縁ハウジング１１の底板は、薄肉状の板状部材から形成されているとともに、その薄肉状をなす絶縁ハウジング１１の底板の下方側に空間部分が形成されている。そして、その絶縁ハウジング１１の底板の下方側空間部分に、上述した弾性ロックアーム部材１３ｅが、略水平に延在するように配置されている。
【００３５】
さらに、媒体載置面１１ｂを有する絶縁ハウジング１１の底板には、上述した係止ロック部１３ａに対応した位置に、ロック穴１１ｃが上下方向に貫通するように形成されている。このロック穴１１ｃは、係止ロック部１３ａを遊嵌状態で収容可能な形状及び大きさに形成されており、前述したように弾性ロックアーム部材１３ｅの弾性変位に伴って係止ロック部１３ａが上下動した際に、当該係止ロック部１３ａがロック穴１１ｃを通して突没することで、媒体挿入通路の内部に係止ロック部１３ａが突出したり（図１０参照）、媒体挿入通路から係止ロック部１３ａが退避してロック穴１１ｃの内部に収容されるようになっている（図１１参照）。
【００３６】
また、係止ロック部１３ａの前端縁部には、媒体挿入通路の内部に挿入される信号伝送媒体（ＦＰＣ又はＦＦＣ等）Ｆに対面する傾斜案内辺が形成されており、媒体挿入通路の内方に挿入された信号伝送媒体Ｆの挿入側先端縁部が、図１０のように媒体挿入通路内に突出している係止ロック部１３ａの傾斜案内辺に当接する位置関係になされている。そして、信号伝送媒体Ｆが係止ロック部１３ａの傾斜案内辺に当接した際には、その係止ロック部１３ａの傾斜案内辺に生じる垂直方向分力によって、当該係止ロック部１３ａの全体が、図１１に示されているように弾性ロックアーム部材１３ｅの弾性力に抗して下方側の待避位置に押し下げられる構成になされている。
【００３７】
さらに、信号伝送媒体（ＦＰＣ又はＦＦＣ等）Ｆが挿入されていくと、当該信号伝送媒体Ｆに設けられた係合位置決め部Ｆａが、係止ロック部１３ａの真上に対向する位置に到達することとなる。このとき、図１２に示されているように、弾性ロックアーム部材１３ｅの弾性復元力によって係止ロック部１３ａが係合位置決め部Ｆａの内部に向かって上方側に強制移動され、それによって両部材Ｆａ，１３ａ同士が係合状態（ロック状態）になされる。そして、その係合状態となった係止ロック部１３ａの係合力で、信号伝送媒体Ｆの挿入状態が抜け出すことなく保持される構成になされている。
【００３８】
一方、ロック解除操作部１３ｆは、上述した弾性ロックアーム部材１３ｅの延出側先端部分（図１０の左端縁部分）から上方側に突出する板状部材から形成されており、その上端部分に形成された折り曲げ部分が、絶縁ハウジング１１の上面から更に上方に突出するように配置されている。そして、図１３のようにロック解除操作部１３ｆが下方に押し下げられることでロック解除操作が行われると、弾性ロックアーム部材１３ｅが下方に向かって撓むように弾性変位し、その分、係止ロック部１３ａが下方に押し下げられるように移動する構成になされている。
【００３９】
次に、ロック部材１３には、上述した絶縁ハウジング１１の媒体載置面１１ｂに向かって信号伝送媒体（ＦＰＣ又はＦＦＣ等）Ｆを押圧する媒体押圧片１３ｇが設けられている。この媒体押圧片１３ｇは、固定基板１３ｂの後端縁部分（図１０の右端縁部分）から片持ち状をなしてコネクタ前方側に延出する弾性可撓性部材から形成されている。
【００４０】
より具体的には、固定基板１３ｂの後端縁部分（図１０の右端縁部分）には、上述したように基板接続部１３ｄが設けられているが、その基板接続部１３ｄに対しコネクタ内方側に隣接した位置から、帯板状をなす媒体押圧片１３ｇが、略直角上方に立ち上がるように設けられている。その帯板状の弾性可撓性部材からなる媒体押圧片１３ｇは、上述した信号伝送媒体（ＦＰＣ又はＦＦＣ等）Ｆが挿入される媒体挿入通路の上方位置まで立ち上がった後に、コネクタ前方側（図１０の左方側）に向かって略直角に折り曲げ形成されており、その上方折り曲げ部から片持ちアーム状をなすように延出している。そして、その片持ちの上方アーム状部１３ｇ１の延出端部分である自由端部分が、上下方向に往復移動する構成になされている。
【００４１】
このような自由端部分を有する媒体押圧片１３ｇの上方アーム状部１３ｇ１は、上述した弾性ロックアーム部材１３ｅの上方側に所定の間隔をなすように配置されていて、それらの両部材１３ｇ１，１３ｅ同士の間に信号伝送媒体（ＦＰＣ又はＦＦＣ等）Ｆが挿入される位置関係になされている。また、媒体押圧片１３ｇの上方アーム状部１３ｇ１は、平面視において、弾性ロックアーム部材１３ｅよりもややコネクタ内方側（コネクタ中心側）にずらした位置に延在しており、上述した係止ロック部１３ａに対して、信号伝送媒体Ｆの厚さ方向の上方側から対向するように配置されている。そして、その係止ロック部１３ａの上方部分には、媒体押圧片１３ｇの自由端部分（先端部分）から下方に向かって突出する媒体接触突部１３ｇ２が設けられている。
【００４２】
この媒体押圧片１３ｇの媒体接触突部１３ｇ２は、信号伝送媒体（ＦＰＣ又はＦＦＣ等）Ｆの挿入方向において奥側、すなわち係止ロック部１３ａよりややコネクタ後方側（図１０の右方側）の領域において、上方アーム状部１３ｇ１の一部を鈍角状に折り曲げ形成したものであって、上述した絶縁ハウジング１１の媒体載置面１１ｂに対して上方側から対向するように配置されている。そして、その媒体接触突部１３ｇ２における下方側の頂点部分が、媒体挿入通路内に挿入される信号伝送媒体Ｆに対して上方側から当接する配置関係になされており、媒体押圧片１３ｇの上方アーム状部１３ｇ１が備えている下方側への弾性付勢力によって、信号伝送媒体Ｆが、絶縁ハウジング１１の媒体載置面１１ｂに押し付けられる構成になされている。
【００４３】
このような構成を有する本実施形態によれば、絶縁ハウジング１１の内部に挿入されて係止ロック部１３ａの係合力で保持された信号伝送媒体（ＦＰＣ又はＦＦＣ等）Ｆが、係止ロック部１３ａの上方側に対向配置された媒体押圧片１３ｇの弾性付勢力で、係止ロック部１３ａ側に押圧されることとなり、それによって当該信号伝送媒体Ｆと係止ロック部１３ａとの係合量が信号伝送媒体の厚さ変動にかかわらず信号伝送媒体を良好な保持状態に維持されることから、ロック部材１３による信号伝送媒体Ｆの保持が確実に行われる。
【００４４】
特に、本実施形態においては、媒体押圧片１３ｇの押圧力によって信号伝送媒体（ＦＰＣ又はＦＦＣ等）Ｆが、絶縁ハウジング１１の媒体載置面１１ｂに当接される構成になされていることから、媒体押圧片１３ｇと絶縁ハウジング１１の媒体載置面１１ｂとの間に信号伝送媒体Ｆが挟持されることとなり、それによって信号伝送媒体Ｆの保持が更に安定的に行われる。
【００４５】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００４６】
例えば、上述した各実施形態では、電気コネクタに固定される信号伝送媒体として、フレキシブル・プリンテッド・サーキット（ＦＰＣ）、及びフレキシブル・フラット・ケーブル（ＦＦＣ）を採用しているが、その他の信号伝送用媒体等を用いた場合に対しても本発明は同様に適用することができる。
【００４７】
さらに、上述した実施形態にかかる電気コネクタには、同一形状の導電コンタクトが用いられているが、異なる形状の導電コンタクトを交互に配置した構造であっても本発明は同様に適用することが可能である。
【産業上の利用可能性】
【００４８】
本発明は、各種電気機器に使用する多種多様な電気コネクタに対して広く適用することが可能である。
【符号の説明】
【００４９】
１０  電気コネクタ
１１  絶縁ハウジング
１１ａ  媒体挿入口
１１ｂ  媒体載置面
１１ｃ  ロック穴
１２  導電コンタクト
１２ａ  固定基部
１２ａ１  基板接続部
１２ｂ  可動ビーム
１２ｂ１  端子接触凸部
１２ｃ  可動ビーム
１２ｃ１  端子接触凸部
１３  ロック部材（ロック機構及びロック解除機構）
１３ａ  係止ロック部
１３ｂ  固定基板
１３ｃ  固定片部
１３ｄ  基板接続部
１３ｅ  弾性ロックアーム部材（ロック付勢部材）
１３ｆ  ロック解除操作部
１３ｇ  媒体押圧片
１３ｇ１  上方アーム状部
１３ｇ２  媒体接触突部
Ｆ  信号伝送媒体（ＦＰＣ又はＦＦＣ等）
Ｆａ  係合位置決め部
【図１】
0005979418.tif 000002
【図２】
0005979418.tif 000003
【図３】
0005979418.tif 000004
【図４】
0005979418.tif 000005
【図５】
0005979418.tif 000006
【図６】
0005979418.tif 000007
【図７】
0005979418.tif 000008
【図８】
0005979418.tif 000009
【図９】
0005979418.tif 000010
【図１０】
0005979418.tif 000011
【図１１】
0005979418.tif 000012
【図１２】
0005979418.tif 000013
【図１３】
0005979418.tif 000014